(57)【特許請求の範囲】
【請求項１】
接触片と取付基部とをバネ性のある帯状の金属板で一体に形成し、前記取付基部には、平面部に対して略直角方向に延びる第１の取付片と、長手側縁から突出し、前記第１の取付片に対して直角方向に延びる第２の取付片を設けたことを特徴とするボタン電池用端子。
【請求項２】
前記第１と第２の取付片を複数個設けたことを特徴とする請求項１記載のボタン電池用端子。
【請求項３】
前記接触片に対して前記取付基部を長手方向にＬ字状に折り曲げて、該取付基部を、接触片と連接する第１基部と、この第１基部に連接する第２基部とで構成し、前記第１基部、又は／及び第２基部の前記長手側縁に前記第２の取付片を設けると共に、前記第２基部に前記第１の取付片を設けたことを特徴とする請求項１、又は２記載のボタン電池用端子。
【請求項４】
請求項１、又は２、又は３記載のボタン電池用端子を備え、ケース内に収納された絶縁基板に、前記ボタン電池用端子の一つを前記第１の取付片で取付ると共に、もう一つを前記第２の取付片で取付、該二つのボタン電池用端子のそれぞれを、ボタン電池の異なる電極に接触させたことを特徴とする電子機器。
【発明の詳細な説明】
【０００１】
【発明の属する技術分野】
本発明は、マイクロフオン、電卓、リモートコントロールユニット等の電子機器に使用して好適なボタン電池用端子、並びにそのボタン電池用端子を用いた電子機器に関する。
【０００２】
【従来の技術】
従来におけるボタン電池用端子、並びにこの端子を用いた電子機器は、図６に示すように、側面から見てＬ字状をなした第１の端子Ｔ１と、この端子Ｔ１とは形状の異なる平面状の第２の端子Ｔ２の二つの端子Ｔ１，Ｔ２とで、ボタン電池用端子が構成されている。
そして、第１の端子Ｔ１は、バネ性の接触片３１と、Ｌ字状の取付部３２とで構成され、また、第２の端子Ｔ２は、平面部４１と、平面部４１から切り起こしされた一対の切り起こし片４２とで構成されている。
【０００３】
また、このような端子Ｔ１，Ｔ２を電子機器に用いる際は、図６に示すように、それぞれ二つの端子Ｔ１，Ｔ２を絶縁基板５１の上面に取付、一方の端子Ｔ１の接触片３１が、絶縁基板５１の面に平行に可動出来るように配置され、また、もう一方の端子Ｔ２の切り起こし片４２が、絶縁基板５１の面に対して垂直方向に可動出来るように配置されている。
そして、ボタン電池Ｂのプラス電極６１を端子Ｔ１に接触させて、端子Ｔ１でボタン電池Ｂの側方から弾接し、また、ボタン電池Ｂのマイナス電極６２を端子Ｔ２に接触させて、端子Ｔ２でボタン電池Ｂの底面に弾接させた構成となっている。
【０００４】
【発明が解決しようとする課題】
従来におけるボタン電池用端子は、二つの端子Ｔ１，Ｔ２がそれぞれ異なる形状を有しているため、その製造において別々の金型、或いは製造機を必要とし、端子がコスト高に成るという問題がある。
また、このようなボタン電池用端子を電子機器に適用した場合は、電子機器がコスト高になる。
また、一方の端子が使用途上において破損して取り替えようとしたとき、両端子の形状が異なるため、リペア用として二つの端子を用意しておかねば成らず、端子の無駄が生じると言う問題がある。
【０００５】
【課題を解決するための手段】
上記課題を解決するための第１の解決手段として、接触片と取付基部とをバネ性のある帯状の金属板で一体に形成し、前記取付基部には、平面部に対して略直角方向に延びる第１の取付片と、長手側縁から突出し、前記第１の取付片に対して直角方向に延びる第２の取付片を設けた構成とした。
また、第２の解決手段として、前記第１と第２の取付片を複数個設けた構成とした。
また、第３の解決手段として、前記接触片に対して前記取付基部を長手方向にＬ字状に折り曲げて、該取付基部を、接触片と連接する第１基部と、この第１基部に連接する第２基部とで構成し、前記第１基部、又は／及び第２基部の前記長手側縁に前記第２の取付片を設けると共に、前記第２基部に前記第１の取付片を設けた構成とした。
更に、第４の解決手段として、請求項１、又は２、又は３記載のボタン電池用端子を備え、ケース内に収納された絶縁基板に、前記ボタン電池用端子の一つを前記第１の取付片で取付ると共に、もう一つを前記第２の取付片で取付、該二つのボタン電池用端子のそれぞれを、ボタン電池の異なる電極に接触させた構成とした。
【０００６】
【発明の実施の形態】
次に、本発明に係るボタン電池用端子、並びにそのボタン電池用端子を用いた電子機器を説明すると、図１は本発明に係るボタン電池用端子を電子機器に適用した上面図、図２はその要部断面図、図３は本発明のボタン電池用端子の斜視図、図４は本発明のボタン電池用端子の使用例を示す斜視図、図５は本発明のボタン電池用端子の使用形態を示す斜視図である。
【０００７】
次に、本発明に係るボタン電池用端子Ｔを図３〜図５に基づいて説明すると、ボタン電池用端子Ｔ（以後、端子と略称する）は、バネ性のある細長の帯状の金属板で形成され、この端子Ｔは、可動可能な接触片１と、この接触片１に連接した取付基部２を有している。
そして、この取付基部２は、端子Ｔの長手方向にＬ字状に折り曲げて形成され、前記接触片１に連接する第１基部２ａと、この第１基部２ａに連接する第２基部２ｂとが設けられている。
【０００８】
また、取付基部２の第２基部２ａには、その平面部２ｃに対して略直角方向に延びる複数個の第１の取付片３が、端子Ｔの長手側縁４と短手側縁５から折り曲げされて形成されている。
また、取付基部２の第１、第２基部２ａ、２ｂには、前記第１の取付片３に対して直角法に延びる第２の取付片６が、端子Ｔの長手側縁４から突出して形成されている。
【０００９】
そして、上述の端子Ｔは、第１と第２の取付片３、６によって、二つの取付が出来るように成っており、図３は第２の取付片６を、後述する絶縁基板に取り付けて、端子Ｔを縦型として使用したものを示し、また、図４は第１の取付片３を後述する絶縁基板に取り付けて、端子Ｔを横型として使用した状態を示している。
即ち、このような構成を有する端子Ｔは、図５に示すように、一つの端子Ｔが縦型に取り付けられ、もう一つの端子Ｔが横型に取り付けられて、ボタン電池Ｂのプラス電極６１を、縦型に取り付けられた端子Ｔの接触片１に、また、ボタン電池Ｂのマイナス電極６２を、横型に取付たれた端子Ｔの接触片１に接触させるようにして使用される。
【００１０】
また、このような端子Ｔは、電子機器Ｋに組み込まれて使用されるが、その電子機器Ｋは図１、図２に示すように、銅箔のランド７を設けたプリント基板等の絶縁基板８の裏面側には、一つの端子Ｔ３が縦型に配置されて、その第２の取付片６を絶縁基板８の孔に挿通し、また、もう一つの端子Ｔ４が横型に配置されて、その第１の取付片３を絶縁基板８の孔に挿通して、端子Ｔ３，Ｔ４のそれぞれの取付片３、６は、ランド７に半田付けして絶縁基板８に取り付けられている。そして、このような絶縁基板８は、電子機器Ｋのケース９内に収納された状態で取り付けられ、端子Ｔ３，Ｔ４がケース９の底壁９ａに近接した状態となっている。
【００１１】
また、ケース９には、ボタン電池Ｂの収納部９ｂが設けられ、図２に示すように、収納部９ｂに、ボタン電池Ｂをマイナス電極６２側から挿入し、挿入後、蓋１０で収納部９ｂを塞ぐと、ボタン電池Ｂの取付が完了する。
そして、取り付けられたボタン電池Ｂは、そのマイナス電極６２が端子Ｔ４に接触し、また、そのプラス電極６１が端子Ｔ３に接触した状態と成っている。
即ち、その接触状態は、図５で示すような状態と同様であり、この図５では、図２を裏返した状態となっている。
このように、電子機器Ｋには同じ形状を有する端子Ｔ、即ち、端子Ｔ３，Ｔ４を用いて、取付片３と取付片６による取付状態を変えることにより、組み込まれるものである。
【００１２】
なお、上述した実施形態において、端子Ｔの取付基部２はＬ字状のもので説明したが直線状でも良く、また、端子Ｔに設けたれた第１、第２の取付片３、６の個数は、一個、或いは複数個と必要に応じて選択して設けても良く、更に、取付片は、半田付け以外に折り曲げ、カシメ等、種々の止め手段が適用できること勿論である。
【００１３】
【発明の効果】
本発明のボタン電池用端子は接触片と取付基部とで構成し、取付基部に、平面部に対して略直角方向に延びる第１の取付片と、長手側縁から突出し、第１の取付片に対して直角方向に延びる第２の取付片とを設けたため、一つの端子で二通りの取付が出来、従って、同じ端子を用いてボタン電池の引き出しが可能となり、安価な端子を提供得きる。
また、第１と第２の取付片を、それぞれ複数個設けることにより確実な端子の取付が出来る。
また、取付基部を、接触片に対して長手方向にＬ字状に折り曲げて形成することにより、取付基部の絶縁基板への支持が安定、確実となり、より強固な端子の取付が出来る。
また、本発明のボタン電池用端子を電子機器に用いると、安価で、取付の確実なものが提供できる。
更に、一方の端子が使用途上において破損して取り替えようとしたとき、両端子の形状が同じであるため、端子の無駄が無く、経済的であるという特徴がある。
【図面の簡単な説明】
【図１】本発明に係るボタン電池用端子を電子機器に適用した上面図。
【図２】図１における要部断面図。
【図３】本発明のボタン電池用端子の斜視図。
【図４】本発明のボタン電池用端子の使用例を示す斜視図。
【図５】本発明のボタン電池用端子の使用形態を示す斜視図。
【図６】従来のボタン電池用端子を電子機器に適用した要部の斜視図。
【符号の説明】
Ｔ  ボタン電池用端子
１  接触片
２  取付基部
２ａ  第１基部
２ｂ  第２基部
３  第１の取付片
４  長手側縁
５  短手側縁
６  第２の取付片
Ｂ  ボタン電池
６１  プラス電極
６２  マイナス電極
Ｋ  電子機器
７  ランド
８  絶縁基板
９  ケース
９ａ  底壁
９ｂ  収納部
１０  蓋
【図１】
0003645685.tif 000002
【図２】
0003645685.tif 000003
【図３】
0003645685.tif 000004
【図４】
0003645685.tif 000005
【図５】
0003645685.tif 000006
【図６】
0003645685.tif 000007